(57)【要約】【課題】掃除性能が向上する電気掃除機の吸込口体およびそれを備えた電気掃除機を提供すること。【解決手段】床面と対向する底板および左右の側板を有し床面上を前後方向に走行する吸込口本体を備え、  前記吸込口本体は、前記底板に設けられた吸込口と、床面上における左または右の前記側板付近の塵埃を空気と共に前記吸込口へ誘導するように前記底板の床面と対向する面に設けられた誘導溝と、シャッター部とを有し、  前記誘導溝は、前記吸込口本体の少なくとも左右一方の前記側板の外面から前記吸込口に亘って前記底板の下面に設けられると共に、前記側板の前記外面において外部に開放可能な開放端を有し、  前記シャッター部は、前記誘導溝における前記開放端を開閉させる方向に移動可能に前記側板の前記外面に設けられたシャッター部材と、使用者の操作によって前記シャッター部材を移動可能とする移動操作機構部とを備えた電気掃除機の吸込口体。【選択図】図３
2020171535.tif 000002
【特許請求の範囲】
【請求項１】
床面と対向する底板および左右の側板を有し床面上を前後方向に走行する吸込口本体を備え、
前記吸込口本体は、前記底板に設けられた吸込口と、床面上における左または右の前記側板付近の塵埃を空気と共に前記吸込口へ誘導するように前記底板の床面と対向する面に設けられた誘導溝と、シャッター部とを有し、
前記誘導溝は、前記吸込口本体の少なくとも左右一方の前記側板の外面から前記吸込口に亘って前記底板の下面に設けられると共に、前記側板の前記外面において外部に開放可能な開放端を有し、
前記シャッター部は、前記誘導溝における前記開放端を開閉させる方向に移動可能に前記側板の前記外面に設けられたシャッター部材と、使用者の操作によって前記シャッター部材を移動可能とする移動操作機構部とを備えたことを特徴とする電気掃除機の吸込口体。
【請求項２】
前記吸込口本体と連結されたパイプ部をさらに備え、
前記パイプ部は、前後方向の軸心を中心として左右方向に回動可能に前記吸込口本体に連結された基端連結部を有しており、
前記移動操作機構部は、使用者が前記パイプ部を前記前後方向の軸心を中心として左右方向に回動することによって前記誘導溝における前記開放端を開閉させる方向に前記シャッター部材を移動させるように構成された請求項１に記載の吸込口体。
【請求項３】
前記シャッター部材は、前記側板の前記外面に上下方向に移動可能に設けられており、
前記移動操作機構部は、前記吸込口本体内に上下方向に移動可能に設けられて前記シャッター部材と連結する昇降部材と、前記昇降部材を下方へ付勢する付勢部材と、前記軸心を中心として回動するよう前記パイプ部の前記基端連結部に設けられた突起部とを有し、
前記付勢部材によって前記昇降部材を介して前記シャッター部材が下降することにより前記誘導溝の前記開放端を閉じ、かつ、使用者が前記基端連結部と共に前記突起部を左または右方向に回動させ、前記突起部が前記付勢部材の付勢力に抗して前記昇降部材を介して前記シャッター部材を押し上げることにより前記開放端を開けるように構成された請求項２に記載の吸込口体。
【請求項４】
前記シャッター部材は、前記側板の前記外面に上下方向に移動可能に設けられると共に、上端に第１傾斜摺接面部を有し、
前記移動機構部は、前記シャッター部材の前記第１傾斜摺接面部と摺接可能な第２傾斜摺接面部を有し前記吸込口本体に左右方向へ移動可能に設けられた移動部材と、前記第２傾斜摺接面部を前記第１傾斜摺接面部へ押しつける第１方向に前記移動部材を付勢する付勢部材と、前記移動部材の左右方向の移動と前記シャッター部材の上下方向の移動とを連動させる連動部材とを有し、
前記移動部材は、前記側板の外面よりも前記第１方向に突出可能な操作凸部を有し、
前記付勢部材によって前記移動部材が前記第１方向に移動することにより、前記第１および第２傾斜摺接面部が互いに摺接しながら前記シャッター部材が下降して前記誘導溝の前記開放端を閉じ、かつ、前記付勢部材の付勢力に抗して前記操作凸部が押圧されるように使用者が操作して前記移動部材が前記第１方向とは逆の第２方向へ移動することにより、前記第１および第２傾斜摺接面部が互いに摺接しながら前記シャッター部材が上昇して前記開放端を開くように構成された請求項１に記載の吸込口体。
【請求項５】
前記付勢部材は、第１付勢部材であり、
前記連動部材は、前記シャッター部材を上方へ付勢する第２付勢部材であり、
前記第１付勢部材は、前記第２付勢部材の付勢力よりも大きい付勢力を有する請求項４に記載の吸込口体。
【請求項６】
前記連動部材が、前記移動部材と前記シャッター部材を連結する可撓性部材である請求項４に記載の吸込口体。
【請求項７】
前記吸込口本体と連結されたパイプ部をさらに備え、
前記パイプ部は、左右方向の軸心を中心として上下方向に揺動可能に前記吸込口本体に連結された基端連結部を有しており、
前記シャッター部材は、前記側板の前記外面に前記軸心を中心として回動可能に設けられており、
前記移動操作機構部は、前記軸心上に設けられて前記シャッター部材と前記パイプ部の前記基端連結部とを連結する軸を有し、
使用者が前記パイプ部の前記基端連結部を上方へ揺動することによって前記シャッター部材が一方向に回動して前記誘導溝の前記開放端を閉じ、かつ、使用者が前記基端連結部を下方へ揺動することによって前記シャッター部材が前記一方向とは逆の他方向に回動して前記開放端を開けるように構成された請求項１に記載の吸込口体。
【請求項８】
前記底板の前記下面における前記吸込口の左右位置に一対の前記誘導溝が設けられ、
前記吸込口本体の前記左右の側板に一対の前記シャッター部材が設けられ、
前記移動操作機構部が、前記一対のシャッター部材を移動可能に構成されている請求項１〜７のいずれか１つに記載の吸込口体。
【請求項９】
請求項１〜８のいずれか１つに記載の吸込口体と、前記吸込口体の前記パイプ部に直接または接続パイプを介して接続される掃除機本体とを備えた電気掃除機。
【発明の詳細な説明】
【技術分野】
【０００１】
本発明は、電気掃除機の吸込口体およびそれを備えた電気掃除機に関する。
【背景技術】
【０００２】
従来の電気掃除機用床ノズル（吸込口体）として、例えば特許文献１には、前後位置にローラーを有し床面上を前後方向に走行可能な床ノズル本体と、床ノズル本体に左右方向の軸心を中心として上下方向に回動可能に連結された回転パイプと、回転パイプに前後方向の軸心を中心として左右方向に回動可能に連結された接続パイプと、床ノズル本体内に設けられた移動操作機構部とを有する床ノズルが提案されている。
【０００３】
この床ノズルにおいて、床ノズル本体の底面には吸込溝（吸込口）が設けられると共に、吸込溝に前後位置で隣接する一対の突起部が設けられており、前方の突起部は上下方向に移動可能とされている。
移動操作機構部は、前方の突起部を上下に移動させる機構部であり、前方の突起部を下方へ付勢するバネと、床ノズル本体内に左右方向の軸心を有する支点を中心として上下方向に回動可能に設けられた前後方向に延びる連結板と、連結板の後方側の一端と当接可能に回転パイプの内面に設けられた突起と、連結板の前方の他端を挿入させるように前方の突起部に設けられた穴（凹部）とを有する。
【０００４】
この床ノズルによれば、回転パイプが上方から下方へ回動することによって、突起が連結板の一端を押し下げ、それによって連結板は支点を中心に上下方向に回動して他端が前方の突起部をバネの付勢力に抗して押し上げるように構成されている。
この構成では、床ノズルが使用者の手前側にあるときには、回転パイプが上方へ回動した状態（床面に対する接続パイプの傾斜角度が大きい状態）であるため、前方の突起部が降下しており、前方の突起部と床面との間の隙間より大きなゴミは吸込溝に吸い込まれない。使用者が床ノズルを前方へ移動させていくと、大きなゴミは床ノズルによって前方へ押しころがされるが、接続パイプの傾斜角度が小さくなっていくと前方の突起部が上昇し、大きなゴミが吸込溝へ吸い込まれる。
【先行技術文献】
【特許文献】
【０００５】
【特許文献１】特公昭６４−６７７４号公報
【発明の概要】
【発明が解決しようとする課題】
【０００６】
前記従来の床ノズルにおいて、床ノズル本体と床面との間の隙間は、床ノズル本体の前部の突起部の箇所では広げることができるが、それ以外の箇所では広げることができない。
したがって、床ノズル本体の左右一方の側面を室内の壁に近接させ、床ノズル本体を壁際に沿って走行させながら清掃する場合、床ノズル本体の側面側と床面との間の隙間よりも大きな壁際のゴミを吸込溝に誘導して吸い込むことができない。なお、この床ノズルにて室内の扉や家具等に沿って清掃する場合も同様である。
【０００７】
本発明は、このような事情に鑑みなされたものであり、掃除性能が向上する電気掃除機の吸込口体およびそれを備えた電気掃除機を提供することを目的とする。
【課題を解決するための手段】
【０００８】
本発明によれば、床面と対向する底板および左右の側板を有し床面上を前後方向に走行する吸込口本体を備え、
前記吸込口本体は、前記底板に設けられた吸込口と、床面上における左または右の前記側板付近の塵埃を空気と共に前記吸込口へ誘導するように前記底板の床面と対向する面に設けられた誘導溝と、シャッター部とを有し、
前記誘導溝は、前記吸込口本体の少なくとも左右一方の前記側板の外面から前記吸込口に亘って前記底板の下面に設けられると共に、前記側板の前記外面において外部に開放可能な開放端を有し、
前記シャッター部は、前記誘導溝における前記開放端を開閉させる方向に移動可能に前記側板の前記外面に設けられたシャッター部材と、使用者の操作によって前記シャッター部材を移動可能とする移動操作機構部とを備えた電気掃除機の吸込口体が提供される。
また、本発明によれば、前記吸込口体と、前記吸込口体の前記パイプ部に直接または接続パイプを介して接続される掃除機本体とを備えた電気掃除機が提供される。
【発明の効果】
【０００９】
本発明の電気掃除機の吸込口体によれば、使用者が移動操作機構部を操作してシャッター部を上昇させることにより、吸込口本体の左右一方の側板に設けられた誘導溝の開放端を開くことができる。そのため、誘導溝の開放端を開いた状態で吸込口体を壁際に沿って走行させることにより、吸込口本体と床面との間の隙間よりも大きな壁際のゴミを誘導溝を通して吸込口へ誘導して吸い込むことができるため、壁際をきれいに効率よく清掃することができる。なお、この吸込口体にて室内の扉や家具等に沿って清掃する場合も同様である。
【図面の簡単な説明】
【００１０】
【図１】本発明の第１実施形態の吸込口体を備えた電気掃除機を示す斜視図である。
【図２】第１実施形態の吸込口体の正面図である。
【図３】第１実施形態の吸込口体の左側面図である。
【図４】第１実施形態の吸込口体を裏返した状態を示す斜視図である。
【図５】第１実施形態の吸込口体のパイプ部を上方へ揺動させた状態を示す左側面図である。
【図６】図５の吸込口体の左側断面図である。
【図７】第１実施形態の吸込口体のパイプ部を屈曲させた状態を示す左側面図である。
【図８】図３の吸込口体における移動操作機構部を示す正面断面図である。
【図９】第１実施形態の吸込口体のパイプ部を右方向へ回動させた状態を示す左側面図である。
【図１０】図９の吸込口体における移動操作機構部を示す正面断面図である。
【図１１】第２実施形態の吸込口体のシャッター部が閉じた状態の左側面図である。
【図１２】第２実施形態の吸込口体のシャッター部が開いた状態の左側面図である。
【図１３】第２実施形態の吸込口体におけるシャッター部および移動操作機構部の構造を説明する正面側から視た断面図であって（Ａ）はシャッター部が閉じた状態、（Ｂ）はシャッター部が開いた状態である。
【図１４】第３実施形態の吸込口体における移動操作機構部を示す正面断面図であって（Ａ）はシャッター部が閉じた状態、（Ｂ）はシャッター部が開いた状態である。
【図１５】第４実施形態の吸込口体のシャッター部が閉じた状態の左側面図である。
【図１６】第４実施形態の吸込口体のシャッター部が閉じた状態の正面断面図である。
【図１７】第４実施形態の吸込口体のシャッター部が開いた状態の左側面図である。
【図１８】第４実施形態の吸込口体のシャッター部が開いた状態の正面断面図である。
【発明を実施するための形態】
【００１１】
（第１実施形態）
図１は本発明の第１実施形態の吸込口体を備えた電気掃除機を示す斜視図である。なお、図１において、電気掃除機の前後左右上下の方向を矢印にて示している。また、以下で説明する実施形態では、キャニスター型の電気掃除機に本発明の吸込口体を用いた場合を例示するが、本発明の吸込口体はスティック型の電気掃除機に用いてもよい。
【００１２】
このキャニスター型の電気掃除機１は、掃除機本体１０と、吸込口体２０と、掃除機本体１０と吸込口体２０とを着脱可能に接続する接続パイプ３０とを備える。
掃除機本体１０は、電動送風機を内蔵した駆動装置１１と、駆動装置１１に着脱可能に装着される集塵装置１２とを備える。
【００１３】
接続パイプ３０は、掃除機本体１０に接続される一端を有する可撓性ホース部３１ａ、可撓性ホース部２１ａの他端に接続される操作スイッチ部３１ｂおよび操作スイッチ部３１ｂに設けられたハンドル３１ｃを有するホース本体３１（手元管）と、ホース本体３１と吸込口体２０とを接続する延長管３２とを備える。
【００１４】
以下、本発明としての吸込口体２０について主に説明する。
【００１５】
＜吸込口体の全体構成について＞
図２は第１実施形態の吸込口体の正面図であり、図３は第１実施形態の吸込口体の左側面図であり、図４は第１実施形態の吸込口体を裏返した状態を示す斜視図であり、図５は第１実施形態の吸込口体のパイプ部を上方へ揺動させた状態を示す左側面図である。また、図６は図５の吸込口体の左側断面図であり、図７は第１実施形態の吸込口体のパイプ部を屈曲させた状態を示す左側面図であり、図８は図３の吸込口体における移動操作機構部を示す正面断面図である。また、図９は第１実施形態の吸込口体のパイプ部を右方向へ回動させた状態を示す左側面図であり、図１０は図９の吸込口体における移動操作機構部を示す正面断面図である。なお、図２と図３において、吸込口体の前後左右上下の方向を矢印にて示している。
【００１６】
図２〜図１０に示すように、吸込口体２０は、全体の形状がＴ字形であり、吸込口２１ａａを有する吸込口本体２１と、接続パイプ３０の延長管３２と接続されるパイプ部２６とを備え、吸込口本体２１とパイプ部２６とは連通連結している。
【００１７】
パイプ部２６は、左右方向の第１軸心Ｐ１（図５と図６参照）を中心に上下方向（矢印Ａ方向）に揺動（回動）可能かつ前後方向の第２軸心Ｐ２（図３と図８と図１０参照）を中心として左右方向（矢印Ｂ方向）に回動可能に吸込口本体３１と連結された関節部２６ａと、左右方向の第３軸心Ｐ３（図６と図７参照）を中心として上下方向（矢印Ｃ方向）に揺動（回動）可能に関節部２６ａと連結された接続管部２６ｂとを有する。
【００１８】
パイプ部２６において、関節部２６ａは、第１軸心Ｐ１（図６参照）を中心に上下方向（矢印Ａ方向）に揺動可能に吸込口本体２１に連結された第１部材２６ａａと、第２軸心Ｐ２（図３と図６と図１０参照）を中心として左右方向（矢印Ｂ方向）に回動可能に第１部材２６ａａと連結された第２部材２６ａｂとを有する。
【００１９】
吸込口本体２１は、前進方向に面する前端部から底部（底板２１ａｃ）に亘って前記吸込口２１ａａが設けられた筐体２１ａと、筐体２１ａの前端側の吸込口２１ａａを覆うように筐体２１ａに設けられたバンパー２１ｂとを備える。
吸込口本体２１において、筐体２１ａは、底部を構成して床面Ｆと対向する底板２１ａｃと、左側板２１ａｄおよび右側板２１ａｅとを有する。
【００２０】
また、吸込口本体２１は、図４と図６に示すように、吸込口２１ａａ内に回転可能に設けられた回転ブラシ２２と、モータ（不図示）と、モータの回転力を回転ブラシ２２に伝達するタイミングベルトおよびプーリーを含む回転力伝達機構（不図示）と、筐体２１ａの後部に突出した受け板部２１ａｂに設けられた後部ローラ２１ｅと、筐体２１ａの右側後部に設けられたスイッチングローラ２１ｆを含むスイッチ装置と、筐体２１ａの左右端部に設けられた一対の前部ローラ２１ｇとを備え、吸込口本体２１が床面から浮き上がることによりスイッチングローラ２１ｆが下方へ突出してＯＮからＯＦＦに切り換わり、それによってモータの駆動が停止するように構成されている。
【００２１】
モータのリード線は吸込口本体２１およびパイプ部２６の内部を通り、パイプ部２６の接続管部２６ｂの後端側に突出して設けられたピン形の一対の受電端子（不図示）に電気的に接続されている。
回転ブラシ２２は、複数の螺旋溝を有する軸体と、軸体の各螺旋溝に植設されたブラシ毛とを有し、軸体の両端が筐体２１ａの図示しない軸受部にて回転可能に保持されている。なお、図４と図６において、回転ブラシ２２のブラシ毛は図示を省略している。
【００２２】
さらに、吸込口本体２１には、底板２１ａｃの床面Ｆと対向する面（下面）に設けられた誘導溝２１ａｆが設けられると共に、後述するシャッター部２３が設けられている。
本実施形態の場合、誘導溝２１ａｆは、吸込口本体２１の左側板２１ａｄの外面から吸込口２１ａａに亘って底板２１ａｃの下面に設けられており、左側板２１ａｄの外面において外部に開放可能な開放端２１ａｇを有している（図３と図９参照）。
【００２３】
シャッター部２３は、左側板２１ａｄ側に設けられた誘導溝２１ａｆの開放端２１ａｇを開閉させる方向に移動可能に左側板２１ａｄの外面に設けられたシャッター部材２３ａと、使用者の操作によってシャッター部材２３ａを移動可能とする移動操作機構部２３ｂとを備える。
【００２４】
シャッター部材２３ａは、Ｌ字を横に倒した形状の板材からなり、図３に示すように、左側板２１ａｄの外面に上下方向（矢印Ｄ方向）に移動可能に設けられている。すなわち、シャッター部材２３ａは、前後方向に延びる上板部２３ａａと、上板部２３ａａの前端から下方に延びる前板部２３ａｂとからなり、前板部２３ａｂが左側板２１ａｄに設けられた誘導溝２１ａｆの開放端２１ａｇを開閉させるようになっている。
【００２５】
移動操作機構部２３ｂは、吸込口本体２１内に上下方向に移動可能に設けられてシャッター部材２３ａと連結する昇降部材２３ｂａと、昇降部材２３ｂａを下方へ付勢する付勢部材２３ｂｂと、第２軸心Ｐ２を中心として回動するようパイプ部２６の基端連結部に設けられた突起部２３ｂｃとを有する。本実施形態の場合、「パイプ部２６の基端連結部」とは、関節部２６ａの第２部材２６ａｂにおける第１部材２６ａａとの円筒状の接続部分であり、この円筒状の接続部分の外周部から突出して突起部２３ｂｃが設けられている。
【００２６】
移動操作機構部２３ｂにおいて、昇降部材２３ｂａは、シャッター部材２３ａの上板部２３ａａと略直角に連結して吸込口本体２１内に上下移動可能に支持された板材からなる。
この昇降部材２３ｂａのシャッター部材２３ａとの連結部分は他の部分よりも細くなっており、筐体２１ａの左側板２１ａｄに設けられた上下方向に細長いスリット２１ａｈを挿通している。
【００２７】
また、昇降部材２３ｂａのシャッター部材２３ａとは反対側の端部は、他の部分よりも厚くなっており、この厚い部分が付勢部材２３ｂｂとしての圧縮コイルバネにて下方へ付勢されると共に、この厚い部分に前記突起部２３ｂｃが引っ掛かって押し上げるようになっている。
なお、昇降部材２３ｂａおよび付勢部材２３ｂｂは、吸込口本体２１内のリブ構造によって上下方向に移動可能に支持されている。
【００２８】
このシャッター部２３によれば、図３と図８に示すように、吸込口体２１のパイプ部２６の第２軸心Ｐ２を中心とする左右方向（矢印Ｂ方向）の回動位置をセンター付近に合わせると、移動操作機構部２３の突起部２３ｂｃが昇降部材２３ｂａよりも下がっている。そのため、付勢部材２３ｂｂによって昇降部材２３ｂａは下方へ付勢されて下降しており、昇降部材２３ｂａと連結されたシャッター部材２３ａも下降している。これにより、シャッター部材２３ａの前板部２３ａｂが下降して、筐体２１ａの左側板２１ａｄに設けられた誘導溝２１ａｆの開放端２１ａｇが閉じている。
【００２９】
誘導溝２１ａｆの開放端２１ａｇは、使用者が次のように移動操作機構部２３ｂを操作することによって開くことができる。
つまり、図９と図１０に示すように、使用者が吸込口体２１のパイプ部２６を第２軸心Ｐ２を中心としてセンター付近から右方向（矢印Ｂ１方向）に回動させると、移動操作機構部２３の突起部２３ｂｃも回動して上昇し、突起部２３ｂｃが付勢部材２３ｂｂの付勢力に抗して昇降部材２３ｂａを上方（矢印Ｅ方向）に押し上げる。これにより、シャッター部材２３ａが上昇して誘導溝２１ａｆの開放端２１ａｇが開く。
【００３０】
また、この状態から使用者が吸込口体２１のパイプ部２６を第２軸心Ｐ２を中心として左方向（矢印Ｂ１方向と逆方向）に回動させてセンター付近に戻せば、図３と図８に示すように、突起部２３ｂｃが下降して昇降部材２３ｂａから離れ、付勢部材２３ｂｂによって下方へ付勢された昇降部材２３ｂａおよびシャッター部材２３ａが下降し、それによって誘導溝２１ａｆの開放端２１ａｇが閉じる。
【００３１】
このように構成された吸込口体２０を備えた電気掃除機１（図１参照）を用いて、例えば、室内の壁際を清掃する際、図９と図１０に示すように、使用者は前記のように吸込口体２０のパイプ部２６ｂを右方向（矢印Ｂ１方向）へ回動してシャッター部材２３ａを上昇させて誘導溝２１ａｆの開放端２１ａｇを開き、この状態で吸込口体２０を壁面Ｗに沿って床面Ｆ上を走行させる。これにより、吸込口体２０の底板２１ａｃと床面Ｆとの間の隙間Ｓよりも大きな壁際のゴミＧを誘導溝２１ａｆを介して吸込口２１ａａへ誘導して吸引除去することができ、壁際をきれいに効率よく清掃することができる。またこの際、パイプ部２６ｂを左側の壁面Ｗとは反対側の右方向（正面側から視て反時計回り）へ回動させるため、パイプ部２６ｂまたはパイプ部２６ｂと接続された接続パイプ３０が壁面Ｗに当たって邪魔になることがない。言い換えれば、壁面Ｗや家具等の際を掃除するために開放したい誘導溝２１ａｆの開放端２１ａｇと反対側へパイプ部２６ｂを回動させる構造であるため、パイプ部２６ｂまたはパイプ部２６ｂと接続された接続パイプ３０が壁面Ｗや家具などに当たって邪魔になることがない。
【００３２】
なお、このようにシャッター部材２３ａを上昇させて誘導溝２１ａｆの開放端２１ａｇを開く操作は、図５と図９と図１０に示すように、パイプ部２６全体を第１軸心Ｐ１を中心として上方（矢印Ａ１方向）に揺動させながら右方向（矢印Ｂ１方向）へ回動させる操作でもよく、あるいは、図７と図９と図１０に示すように、パイプ部２６の接続管部２６ｂを第３軸心Ｐ３を中心として上方（矢印Ｃ１方向）に揺動させてパイプ部２６を屈曲状態にしながら右方向（矢印Ｂ１方向）へ回動させる操作でもよい。
【００３３】
（第１実施形態の変形例１）
図１〜図１０で示した第１実施形態の吸込口体２０では、シャッター部２３を吸込口本体２１の左側にのみ設けた場合を例示したが、シャッター部２３を吸込口本体２１の右側にのみ設けてもよい。この場合、誘導溝２１ａｆは底板２１ａｃの下面の吸込口２１ａａの右側にのみ設けられ、吸込口体２０のパイプ部２６を左方向へ回動させることにより誘導溝２１ａｆの開放端２１ａｇを開くことができる。
【００３４】
（第１実施形態の変形例２）
図１〜図１０で示した第１実施形態の吸込口体２０において、シャッター部２３を吸込口本体２１の左右両側に設けてもよい。この場合、誘導溝２１ａｆは底板２１ａｃの下面の吸込口２１ａａの左右両側に設けられる。また、シャッター部２３は、正面側から視て左右対称的な構造に形成される。
【００３５】
（実施形態２）
図１１は第２実施形態の吸込口体のシャッター部が閉じた状態の左側面図であり、図１２は第２実施形態の吸込口体のシャッター部が開いた状態の左側面図である。また、図１３は第２実施形態の吸込口体におけるシャッター部および移動操作機構部の構造を説明する正面側から視た断面図であって（Ａ）はシャッター部が閉じた状態、（Ｂ）はシャッター部が開いた状態である。なお、図１１〜図１３において、図３、図８〜図１０中の要素と同様の要素には同一の符号を付している。
第２実施形態の吸込口体１２０は、シャッター部材１２３ａおよび移動操作機構部１２３ｂを備えたシャッター部１２３の構成が、第１実施形態とは異なる以外は、第１実施形態と概ね同様に構成されている。
以下、第２実施形態における第１実施形態とは異なる点を主に説明する。
【００３６】
図１１と図１２に示すように、第２実施形態のシャッター部１２３において、シャッター部材１２３ａは、吸込口体１２０の左側から視てＩ字形の形状を有し、吸込口本体１２１の筐体１２１ａの左側板１２１ａｄの外面に上下方向に移動可能に設けられると共に、上端に第１傾斜摺接面部１２３ａａを有している。この第１傾斜摺接面部１２３ａａは、上方から下方へ向かうにつれて吸込口本体１２１の左側板１２１ａｄへ接近する方向に傾斜している。
【００３７】
また、図１３（Ａ）および（Ｂ）に示すように、シャッター部材１２３ａは、吸込口本体１２１の左側板１２１ａｄに設けられた下スリット１２１ａｈを挿通する突片１２３ａｂと、突片１２３ａｂから下方へ突出する抜け止め片１２３ａｃとを有する。
抜け止め片１２３ａｃは、吸込口本体１２１の左側板１２１ａｄの内面を摺動可能となっており、下スリット１２１ａｈからシャッター部材１２３ａの左側板１２１ａｄからの脱落を防止する。
【００３８】
移動機構部１２３ｂは、シャッター部材１２３ａの第１傾斜摺接面部１２３ａａと摺接可能な第２傾斜摺接面部１２３ｂａａを有し吸込口本体１２１に左右方向へ移動可能に設けられた移動部材１２３ｂａと、第２傾斜摺接面部１２３ｂａａを第１傾斜摺接面部１２３ａａへ押しつける第１方向（左方向）に移動部材１２３ｂａを付勢する第１付勢部材１２３ｂｂと、移動部材１２３ｂａの左右方向の移動とシャッター部材１２３ａの上下方向の移動とを連動させる連動部材としての第２付勢部材１２３ｂｃとを有する。
【００３９】
移動部材１２３ｂａは、吸込口本体１２１の左側板１２１ａｄの外面よりも第１方向（左方向）に突出可能な操作凸部１２３ｂａｂを有しており、操作凸部１２３ｂａｂの下面が第１傾斜摺接面部１２３ａａとなっている。また、移動部材１２３ｂａの操作凸部１２３ｂａｂとは反対側の部分は筒状になっており、この筒状部分に第１付勢部材１２３ｂｂの一部が収納される。なお、操作凸部１２３ｂａｂの角部は、室内の壁面Ｗ、扉、家具等に摺接してもこれらに傷がつきにくいように丸みを有している。
また、移動部材１２３ｂａは、吸込口本体１２１の左側板１２１ａｄに設けられた上スリット１２１ａｉを挿通すると共に、吸込口本体１２１から脱落しないようにするストッパ凸部１２３ｂａｃを外面に有している。
【００４０】
第１付勢部材１２３ｂｂは、本実施形態の場合、圧縮コイルバネが用いられており、移動部材１２３ｂａを左方向へ付勢している。
第２付勢部材１２３ｂｃは、本実施形態の場合、圧縮コイルバネが用いられており、シャッター部材１２３ａの突片１２３ａｂを上方へ付勢している。
これらの移動部材１２３ｂａ、第１付勢部材１２３ｂｂおよび第２付勢部材１２３ｂｃは、吸込口本体１２１内に設けられたリブ構造によって移動可能に支持されている。
なお、第１付勢部材１２３ｂｂおよび第２付勢部材１２３ｂｃは、圧縮コイルバネに限定されず、例えば、板バネ、弾性発泡体等を用いてもよいが、第１付勢部材１２３ｂｂの付勢力が第２付勢部材１２３ｂｃの付勢力よりも大きく設定されている必要がある。
【００４１】
このように構成されたシャッター部１２３によれば、図１１と図１３（Ａ）に示すように、第１付勢部材１２３ｂｂによって移動部材１２３ｂａが第１方向（左方向）に移動することにより、第１傾摺接斜面部１２３ａａおよび第２傾斜摺接面部１２３ｂａａが互いに摺接しながらシャッター部材１２３ａが押し下げられる。この結果、シャッター部材１２３ａによって誘導溝２１ａｆの開放端２１ａｇが閉じる。
【００４２】
また、図１２と図１３（Ｂ）に示すように、第１付勢部材１２３ｂｂの付勢力に抗して操作凸部１２３ｂａｂが室内の壁面Ｗ、扉、家具等で押圧されるように使用者が操作すると、移動部材１２３ｂａが第１方向（左方向）とは逆の第２方向（右方向）へ移動する。これにより、第１傾斜摺接面部１２３ａａおよび第２傾斜摺接面部１２３ｂａａが互いに摺接しながら第２付勢部材１２３ｂｃにてシャッター部材１２３ａが押し上げられて誘導溝２１ａｆの開放端２１ａｇが開く。
【００４３】
この場合、図１３（Ａ）に示すように、例えば、使用者が吸込口体１２０の左側板１２１ａｄを室内の壁面Ｗに接近させ、図１３（Ｂ）に示すように、移動部材１２３ｂａの操作凸部１２３ｂａｂを壁面Ｗに当てて内方（右方向）へ押し込むという動作が、シャッター部材１２３ａを上昇させて誘導溝２１ａｆの開放端２１ａｇを開く操作となる。
【００４４】
なお、図１３（Ｂ）に示すように、移動部材１２３ｂａのストッパ凸部１２３ｂａｃがリブ構造に当接することにより、移動部材１２３ｂａの第２方向（右方向）への移動が規制され、それによって操作凸部１２３ｂａｂがシャッター部材１２３ａよりも僅かに第１方向（左方向）へ突出した状態を維持できるようにしてもよい。このようにすれば、シャッター部材１２３ａが壁面Ｗに摺接しないため、壁面Ｗの傷付きおよびシャッター部材１２３ａの破損を抑制することができる。
【００４５】
第２実施形態の吸込口体１２０の場合も、吸込口本体１２１の底板２１ａｃと床面Ｆとの間の隙間Ｓよりも大きな壁際のゴミＧであっても、ゴミＧを誘導溝２１ａｆを介して吸込口２１ａａに誘導して吸引除去することができる。この際、移動部材１２３ｂａの操作凸部１２３ｂａｂを壁面Ｗに摺接させながら吸込口体１２０を走行させることによって、誘導溝２１ａｆの開放端２１ａｇの開放状態を維持しながら壁際をきれいに効率よく清掃することができる。なお、室内の扉や家具等の際を清掃する際も同様である。
【００４６】
（第２実施形態の変形例１）
図１１〜図１３で示した第２実施形態の吸込口体１２０では、シャッター部１２３を吸込口本体１２１の左側にのみ設けた場合を例示したが、シャッター部１２３を吸込口本体１２１の右側にのみ設けてもよい。
【００４７】
（第２実施形態の変形例２）
図１１〜図１３で示した第２実施形態の吸込口体１２０において、シャッター部１２３を吸込口本体１２１の左右両側に設けてもよい。この場合、誘導溝２１ａｆは底板２１ａｃの下面の吸込口２１ａａの左右両側に設けられる。また、シャッター部１２３は、正面側から視て左右対称的な構造に形成される。
【００４８】
（第２実施形態の変形例３）
図１１〜図１３で示した第２実施形態の吸込口体１２０において、移動部材１２３ｂａの操作凸部１２３ｂａｂは、図１１中の２点鎖線で示すように、前後方向に細長く形成してもよい。また、細長く形成した操作凸部１２３ｂａｂの前後方向の中間部から前後方向に向かうにつれて突出幅が徐々に小さくなるようにしてもよい。つまり、上方から視て、操作凸部１２３ｂａｂを弧状や頂点が丸みを帯びている三角形状に形成してもよい。あるいは、突出した形状が角部に丸みを有する台形形状であってもよい。
この構成によれば、例えば、吸込口体１２０にて家具の際を清掃する際に、家具の角部に操作凸部１２３ｂａｂが衝突して後方へ力が加わり、それによって操作凸部１２３ｂａｂが破損してしまうといった不具合を抑制することができる。
なお、第２実施形態の変形例３を第２実施形態の変形例１および２に適用してもよい。
【００４９】
（第３実施形態）
図１４は第３実施形態の吸込口体における移動操作機構部を示す正面断面図であって（Ａ）はシャッター部が閉じた状態、（Ｂ）はシャッター部が開いた状態である。なお、図１４（Ａ）および（Ｂ）において、図１３（Ａ）および（Ｂ）中の要素と同様の要素には同一の符号を付している。
第３実施形態の吸込口体２２０は、シャッター部材２２３ａおよび移動操作機構部２２３ｂを備えたシャッター部２２３の構成が、第２実施形態とは異なる以外は、第２実施形態と概ね同様に構成されている。
以下、第３実施形態における第２実施形態とは異なる点を主に説明する。
【００５０】
第３実施形態において、シャッター部材２２３ａは、第２実施形態のシャッター部材１２３ａにおける突片１２３ａｂ（図１３（Ａ）参照）が省略されたものである。
第３実施形態において、移動操作機構部２２３ｂの移動部材２２３ｂａは、第１傾斜摺接面部２２３ｂａａの下部から反対側の筒状部分に通じる左右方向の貫通孔２２３ｂａが設けられている。
【００５１】
第３実施形態において、連動部材は、移動部材２２３ｂａとシャッター部材２２３ａとを連結する可撓性部材２２３ｂｃである。可撓性部材２２３ｂｃとしては、例えば、可撓性を有するワイヤ、テープ等が用いられる。
可撓性部材２２３ｂｃは、移動部材２２３ｂａの貫通孔２２３ｂａおよび吸込口本体２２１の下スリット１２１ａｈを挿通し、その一端は移動部材２２３ｂａの筒状部分の内面に固定され、他端はシャッター部材２２３ａの内面に固定されている。
【００５２】
このように構成されたシャッター部２２３によれば、図１４（Ａ）に示すように、付勢部材１２３ｂｂによって移動部材２２３ｂａが第１方向（左方向）に移動することにより、第１傾摺接斜面部１２３ａａおよび第２傾斜摺接面部１２３ｂａａが互いに摺接しながらシャッター部材２２３ａが押し下げられる。この結果、シャッター部材２２３ａによって誘導溝２１ａｆの開放端２１ａｇが閉じる。
【００５３】
また、図１４（Ｂ）に示すように、付勢部材１２３ｂｂの付勢力に抗して操作凸部１２３ｂａｂが押圧されるように使用者が操作して移動部材２２３ｂａが第１方向（左方向）とは逆の第２方向（右方向）へ移動することにより、第１傾斜摺接面部１２３ａａおよび第２傾斜摺接面部１２３ｂａａが互いに摺接しながら可撓性部材２２３ｂｃにてシャッター部材１２３ａが引き上げられて誘導溝２１ａｆの開放端２１ａｇが開く。
【００５４】
第３実施形態の吸込口体２２０の場合も、吸込口本体２２１の底板２１ａｃと床面Ｆとの間の隙間Ｓよりも大きな壁際のゴミＧであっても、ゴミＧを誘導溝２１ａｆを介して吸込口２１ａａに誘導して吸引除去することができる。この際、移動部材２２３ｂａの操作凸部１２３ｂａｂを壁面Ｗに摺接させながら吸込口体２２０を走行させることによって、誘導溝２１ａｆの開放端２１ａｇの開放状態を維持しながら壁際をきれいに効率よく清掃することができる。なお、室内の扉や家具等の際を清掃する際も同様である。
【００５５】
（第３実施形態の変形例）
第３実施形態の吸込口体２２０は、第２実施形態２の吸込口体１２０の変形例１〜３の主旨と同様に設計変更可能である。
【００５６】
（第４実施形態）
図１５は第４実施形態の吸込口体のシャッター部が閉じた状態の左側面図であり、図１６は第４実施形態の吸込口体のシャッター部が閉じた状態の正面断面図である。また、図１７は第４実施形態の吸込口体のシャッター部が開いた状態の左側面図であり、図１８は第４実施形態の吸込口体のシャッター部が開いた状態の正面断面図である。なお、図１５〜図１８において、図３、図５、図６、図８〜図１０中の要素と同様の要素には同一の符号を付している。
第４実施形態の吸込口体３２０は、シャッター部材３２３ａおよび移動操作機構部３２３ｂを備えたシャッター部３２３の構成が、第１実施形態とは異なる以外は、第１実施形態と概ね同様に構成されている。
以下、第４実施形態における第１実施形態とは異なる点を主に説明する。
【００５７】
図１５に示すように、第４実施形態のシャッター部３２３において、シャッター部材３２３ａは、前後方向に延びる上板部３２３ａａと、上板部３２３ａａの前端から下方に延びる前板部３２３ａｂとを有し、吸込口体３２０の左側から視て、Ｌ字形が横に倒れた形状を有している。このシャッター部材３２３ａは、吸込口本体３２１の筐体３２１ａの左側板２２１ａｄの外面に第１軸心Ｐ１を中心として回動可能に設けられている。
【００５８】
移動操作機構部３２３ｂは、第１軸心Ｐ１上に設けられてシャッター部材３２３ａの上板部３２３ａａとパイプ部２６の基端連結部である関節部２６ａの第１部材２６ａａの外面（図６参照）とを連結する軸３２３ｂａを有する。なお、吸込口本体３２１の左側板２２１ａｄには、軸３２３ｂａを挿通させる貫通孔が設けられている。
【００５９】
第４実施形態のシャッター部３２３によれば、図１５と図１６に示すように、使用者がパイプ部２６の関節部２６ａ（基端連結部）を第１軸心Ｐ１を中心として上方（矢印Ａ１方向）へ揺動することによって、シャッター部材３２３ａが一方向（矢印Ａ１方向）に回動して前板部３２３ａｂによって誘導溝２１ａｆの開放端２１ａｇを閉じるように構成されている。
また、シャッター部３２３は、図１７と図１８に示すように、使用者がパイプ部２６の関節部２６ａ（基端連結部）を第１軸心Ｐ１を中心として下方（矢印Ａ２方向）へ揺動することによって、シャッター部材３２３ａが一方向とは逆の他方向（矢印Ａ２方向）に回動し前板部３２３ａｂが上昇して誘導溝２１ａｆの開放端２１ａｇを開けるように構成されている。
【００６０】
第４実施形態の吸込口体３２０の場合も、吸込口本体３２１の底板２１ａｃと床面Ｆとの間の隙間Ｓよりも大きな壁際のゴミＧであっても、ゴミＧを誘導溝２１ａｆを介して吸込口２１ａａ（図６参照）に誘導して吸引除去することができる。この際、図１７と図１８に示すように、パイプ部２６を下方に下げた状態を維持しながら吸込口体３２０を走行させることによって、誘導溝２１ａｆの開放端２１ａｇの開放状態を維持しながら壁際をきれいに効率よく清掃することができる。なお、室内の扉や家具等の際を清掃する際も同様である。
【００６１】
（第４実施形態の変形例）
第４実施形態の吸込口体３２０は、第１実施形態の吸込口体２０の変形例１〜２の主旨と同様に設計変更可能である。
【００６２】
（他の実施形態）
１．第１〜第３実施形態およびそれらの変形例の吸込口体は、関節部２６ａが第１軸心Ｐ１を中心として上下方向（矢印Ａ方向）に揺動しないタイプであってもよい。
２．第１〜第３実施形態およびそれらの変形例の吸込口体は、回転ブラシがタービンにて回転駆動するタイプであってもよい。
３．第１〜第３実施形態およびそれらの変形例の吸込口体は、回転ブラシを有さないタイプであってもよい。
【００６３】
（まとめ）
本発明の電気掃除機の吸込口体は、床面と対向する底板および左右の側板を有し床面上を前後方向に走行する吸込口本体を備え、
前記吸込口本体は、前記底板に設けられた吸込口と、床面上における左または右の前記側板付近の塵埃を空気と共に前記吸込口へ誘導するように前記底板の床面と対向する面に設けられた誘導溝と、シャッター部とを有し、
前記誘導溝は、前記吸込口本体の少なくとも左右一方の前記側板の外面から前記吸込口に亘って前記底板の下面に設けられると共に、前記側板の前記外面において外部に開放可能な開放端を有し、
前記シャッター部は、前記誘導溝における前記開放端を開閉させる方向に移動可能に前記側板の前記外面に設けられたシャッター部材と、使用者の操作によって前記シャッター部材を移動可能とする移動操作機構部とを備えたものである。
この構成によれば、使用者が吸込口体の移動操作機構部を操作して開放端を開く方向にシャッター部材を移動させることにより、吸込口本体の底板と床面との間の隙間よりも大きなゴミ（以下、単に「大きなゴミ」という）を空気と共に誘導溝を通して吸込口へ誘導することができる。そのため、例えば、吸込口体を室内の壁際に沿って走行させながら壁際のゴミを効率よく吸引除去することができる。また、吸込口体にて室内の扉や家具等の際を清掃する場合も同様である。
【００６４】
本発明の電気掃除機の吸込口体は、次のように構成されてもよく、それらが適宜組み合わされてもよい。
【００６５】
前記吸込口本体と連結されたパイプ部をさらに備え、
前記パイプ部は、前後方向の軸心を中心として左右方向に回動可能に前記吸込口本体に連結された基端連結部を有しており、
前記移動操作機構部は、使用者が前記パイプ部を前記前後方向の軸心を中心として左右方向に回動することによって前記誘導溝における前記開放端を開閉させる方向に前記シャッター部材を移動させるように構成されてもよい。
この構成によれば、例えば、室内の壁際を清掃する際、使用者は、吸込口本体の左側面を壁に接近させると共に、パイプ部を右に捻った（回動させた）状態で吸込口体を壁際に沿って走行させながら清掃することにより、壁際の大きなゴミを誘導溝を介して吸込口に吸引することができる。あるいは、使用者は、吸込口本体の右側面を壁に接近させると共に、パイプ部を左に捻った（回動させた）状態で吸込口体を壁際に沿って走行させながら清掃することにより、壁際の大きなゴミを誘導溝を介して吸込口に吸引することができる。また、これらの場合、壁とは反対側にパイプ部を捻る操作をするため、パイプ部が壁に当たって清掃の邪魔になることはない。
【００６６】
・前記シャッター部材は、前記側板の前記外面に上下方向に移動可能に設けられており、
前記移動操作機構部は、前記吸込口本体内に上下方向に移動可能に設けられて前記シャッター部材と連結する昇降部材と、前記昇降部材を下方へ付勢する付勢部材と、前記軸心を中心として回動するよう前記パイプ部の前記基端連結部に設けられた突起部とを有し、
前記付勢部材によって前記昇降部材を介して前記シャッター部材が下降することにより前記誘導溝の前記開放端を閉じ、かつ、使用者が前記基端連結部と共に前記突起部を左または右方向に回動させ、前記突起部が前記付勢部材の付勢力に抗して前記昇降部材を介して前記シャッター部材を押し上げることにより前記開放端を開けるように構成されたものであってもよい。
この構成によれば、使用者がパイプ部を捻る操作によって動作する移動操作機構部を簡素に構成することができる。
【００６７】
・前記シャッター部材は、前記側板の前記外面に上下方向に移動可能に設けられると共に、上端に第１傾斜摺接面部を有し、
前記移動機構部は、前記シャッター部材の前記第１傾斜摺接面部と摺接可能な第２傾斜摺接面部を有し前記吸込口本体に左右方向へ移動可能に設けられた移動部材と、前記第２傾斜摺接面部を前記第１傾斜摺接面部へ押しつける第１方向に前記移動部材を付勢する付勢部材と、前記移動部材の左右方向の移動と前記シャッター部材の上下方向の移動とを連動させる連動部材とを有し、
前記移動部材は、前記側板の外面よりも前記第１方向に突出可能な操作凸部を有し、
前記付勢部材によって前記移動部材が前記第１方向に移動することにより、前記第１および第２傾斜摺接面部が互いに摺接しながら前記シャッター部材が下降して前記誘導溝の前記開放端を閉じ、かつ、前記付勢部材の付勢力に抗して前記操作凸部が押圧されるように使用者が操作して前記移動部材が前記第１方向とは逆の第２方向へ移動することにより、前記第１および第２傾斜摺接面部が互いに摺接しながら前記シャッター部材が上昇して前記開放端を開くように構成されたものであってもよい。
この構成によれば、例えば、室内の壁際を清掃する際、使用者は、吸込口本体の左側面または右側面に設けられた操作凸部を壁に押し付けながら吸込口体を壁際に沿って走行させて清掃することにより、壁際の大きなゴミを誘導溝を介して吸込口に吸引することができる。
【００６８】
・前記付勢部材は、第１付勢部材であり、
前記連動部材は、前記シャッター部材を上方へ付勢する第２付勢部材であり、
前記第１付勢部材は、前記第２付勢部材の付勢力よりも大きい付勢力を有するものであってもよい。
この構成によれば、圧縮コイルバネまたは引っ張りコイルバネ等の第２付勢部材を連動部材として用いることができ、連動部材の簡素化を図ることができる。
【００６９】
・前記連動部材が、前記移動部材と前記シャッター部材を連結する可撓性部材であってもよい。
この構成によれば、樹脂製または金属製のテープあるいはワイヤ等の可撓性部材を連動部材として用いることができ、連動部材の簡素化を図ることができる。
【００７０】
・前記吸込口本体と連結されたパイプ部をさらに備え、
前記パイプ部は、左右方向の軸心を中心として上下方向に揺動可能に前記吸込口本体に連結された基端連結部を有しており、
前記シャッター部材は、前記側板の前記外面に前記軸心を中心として回動可能に設けられており、
前記移動操作機構部は、前記軸心上に設けられて前記シャッター部材と前記パイプ部の前記基端連結部とを連結する軸を有し、
使用者が前記パイプ部の前記基端連結部を上方へ揺動することによって前記シャッター部材が一方向に回動して前記誘導溝の前記開放端を閉じ、かつ、使用者が前記基端連結部を下方へ揺動することによって前記シャッター部材が前記一方向とは逆の他方向に回動して前記開放端を開けるように構成されたものであってもよい。
この構成によれば、例えば、室内の壁際を清掃する際、使用者は、吸込口本体の左側面または右側面を壁に接近させると共に、パイプ部を下方へ揺動（回動）させた状態で吸込口体を壁際に沿って走行させて清掃することにより、壁際の大きなゴミを誘導溝を介して吸込口に吸引することができる。
【００７１】
・前記底板の前記下面における前記吸込口の左右位置に一対の前記誘導溝が設けられ、
前記吸込口本体の前記左右の側板に一対の前記シャッター部材が設けられ、
前記移動操作機構部が、前記一対のシャッター部材を移動可能に構成されてもよい。
この構成によれば、吸込口体の左側面および右側面側のどちら側からでも壁、扉、家具等の際の大きなゴミを誘導溝を介して吸込口に吸引することができる。
【００７２】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
例えば、第１実施形態（図３、図８〜図１０参照）では、付勢部材２３ｂｂは、誘導溝２１ａｆの開放端２１ａｇを閉じる方向に昇降部材２３ｂａおよびシャッター部材２３ａｂを付勢しているが、開放端２１ａｇを開く方向に昇降部材２３ｂａおよびシャッター部材２３ａｂを付勢する構成であってもよい。この場合、パイプ部２６を真っ直ぐな通常使用状態（第２軸心Ｐ２を中心とする左右方向のセンター位置）では、突起部２３ｂｃにより昇降部材２３ｂａが開放端２１ａｇを閉じる方向に付勢し、開放端２１ａｇとは反対側へパイプ部２６を回動させることで、開放端２１ａｇが開放される構造とすればよい。
【符号の説明】
【００７３】
１  電気掃除機
１０  掃除機本体
２０、１２０、２２０、３２０  吸込口体
２１、１２１、２２１、３２１  吸込口本体
２１ａａ  吸込口
２１ａｃ  底板
２１ａｄ、１２１ａｄ、２２１ａｄ、３２１ａｄ  左側板
２１ａｅ  右側板
２１ａｆ  誘導溝
２１ａｇ  開放端
２３、１２３、２２３、３２３  シャッター部
２３ａ、１２３ａ、２２３ａ、３２３ａ  シャッター部材
２３ｂ、１２３ｂ、２２３ｂ、３２３ｂ  移動操作機構部
２３ｂａ  昇降部材
２３ｂｂ  付勢部材
２３ｂｃ  突起部
２６  パイプ部
２６ａ  関節部（基端連結部）
３０  接続パイプ
１２３ａａ  第１傾斜摺接面部
１２３ｂａ  移動部材
１２３ｂａａ  第２傾斜摺接面部
１２３ｂａｂ  操作凸部
１２３ｂｂ  第１付勢部材（付勢部材）
１２３ｂｃ  第２付勢部材（連動部材）
２２３ｂｃ  可撓性部材
３２３ｂａ  軸
Ｆ  床面
Ｐ１  第１軸心
Ｐ２  第２軸心
Ｐ３  第３軸心
【図１】
2020171535.tif 000003
【図２】
2020171535.tif 000004
【図３】
2020171535.tif 000005
【図４】
2020171535.tif 000006
【図５】
2020171535.tif 000007
【図６】
2020171535.tif 000008
【図７】
2020171535.tif 000009
【図８】
2020171535.tif 000010
【図９】
2020171535.tif 000011
【図１０】
2020171535.tif 000012
【図１１】
2020171535.tif 000013
【図１２】
2020171535.tif 000014
【図１３】
2020171535.tif 000015
【図１４】
2020171535.tif 000016
【図１５】
2020171535.tif 000017
【図１６】
2020171535.tif 000018
【図１７】
2020171535.tif 000019
【図１８】
2020171535.tif 000020